【手続補正書】
【提出日】平成22年11月24日(2010.11.24)
【手続補正１】
【補正対象書類名】明細書
【補正対象項目名】００２９
【補正方法】変更
【補正の内容】
【００２９】
MG（30）は、装置動作を制御するプロセッサ（38）と、図1および図2に示すISDN回線を
利用した複数の電話（10-1〜10-ｎ、12-1〜12-m、14-1〜14-ｋ、16-1〜16-ｎ、17-1〜17-
m）、複数のPC（11-1〜11-n、13-1〜13-m、15-1〜15-ｋ）およびデータ端末（140）との
接続やデータのやり取りを実施するための複数の加入者回線インタフェース（31-1〜31-n
）と、加入者回線インタフェースからのデータを時分割スイッチ（以下、ＴＳＷ）（33）
へ接続する複数の加入者ＨＷ（High Way、時分割のバス）（32-1〜32-ｎ）と、加入者HW（32-1〜32-ｎ）を終端するTSW（33）と、プロトコル処理部（35）と接続される複数のIP網側HW（TS1〜TS512、ここでTSはTime Slot）（34-1〜34-m）と、IP網に接続するための複数のIP回線インタフェース（36-1〜36-ｋ）と、メモリ（39）とからなる。
【手続補正２】
【補正対象書類名】明細書
【補正対象項目名】００３４
【補正方法】変更
【補正の内容】
【００３４】
セッション接続管理テーブル（393）には、セッション接続に関する情報を格納するも
のであって、図8に示すように送信元の電話番号（3931）、SIPを用いた通信時の識別情報
となるSIP URI（3932）、IP address(3933)および利用しているポート番号（3934）の情
報、接続先の電話番号（3935）、SIPを用いた通信時の識別情報となるSIP URI（3936）、
IP address(3937)、利用しているポート番号（3938）、接続先がPPPoEやL2TPにより接続
している等の接続形態（3939）の情報、さらには、SIPを用いた通信時にセッション接続
メッセージを識別するためのコマンド・シーケンスであるCseq（39310）さらにStutus（3
9311）が登録・更新され管理される。詳細なセッション接続管理テーブル（393）の利用
方法については、後に詳述する。
【手続補正３】
【補正対象書類名】明細書
【補正対象項目名】００５２
【補正方法】変更
【補正の内容】
【００５２】
図15は、電話1（10-1）と電話2（14-2）がRTP（Real-time Transport Protocol）を用
いたVoIP（Voice over Internet Protocol）通信（音声通話）を行うためのシーケンスお
よびプロトコルスタックを示す。
【手続補正４】
【補正対象書類名】明細書
【補正対象項目名】００５３
【補正方法】変更
【補正の内容】
【００５３】
図16は、電話1（10-1）と電話2（14-2）のVoIP通信（音声通話）の切断を行うためのシ
ーケンスを示す。
【手続補正５】
【補正対象書類名】明細書
【補正対象項目名】００６８
【補正方法】変更
【補正の内容】
【００６８】
電話1（10-1）は、電話2（14-2）に対して電話を開始するために、呼設定要求メッセー
ジであるSETUPメッセージ（SQ104）を送信する。
【手続補正６】
【補正対象書類名】明細書
【補正対象項目名】００６９
【補正方法】変更
【補正の内容】
【００６９】
呼設定要求メッセージSETUP（SQ104）を受信したMG（30-1）は、図25に示すSETUP受信
処理（F3912）フローにしたがって、回線網からのメッセージをSIPプロトコルに乗せ換え
る処理を実施する。まず、加入者回線IF  No（受信した回線IF  No）および接続先の電話
番号を抽出し（F39121）、加入者回線IF  No（受信した回線IF  No）により、図7に示す
加入者管理テーブル（392）を検索する（F39122）。つづいて、図7に示す加入者管理テー
ブル（392）のREG  STATUS（3926）が開通となっているかを確認する（F39123）。図36（
a）(c)(d)の加入者管理テーブル（392）が示すように、開通となっていない場合は、SETU
Pメッセージ（SQ104）を廃棄し（F39124）、図36（b）の加入者管理テーブル（392）のRE
G STATUS（3926）が示すように、開通となっている場合は、発信元（加入者）の電話番号
、SIP URI、IP addressおよびポート番号を図7に示す加入者管理テーブル（392）から抽
出し、図8（a）に示すセッション管理テーブル（393）に登録する（F39125）。さらに、S
ETUPメッセージ（SQ104）から抽出した接続先の電話番号を図8（b）に示すセッション管
理テーブル（393）のように登録し（F39127）、発信元（加入者）に対して呼設定受付を
示すCALLPROC（SQ105）を送信する（F39126）。送信が完了したら、図25に示す発呼処理
（F3913）フローにしたがって、図8（c）に示すセッション接続管理テーブル（393）のCs
eq（3931）のように、SIPメッセージの識別情報となるCseqを「103 INVITE」と登録し（F
39131）、図8（C）に示すセッション接続管理テーブル（393）から、接続先の電話番号、
発信元（加入者）の電話番号、SIP URIおよびIP addressを抽出し（F39132）、抽出した
情報および登録したSIPメッセージの識別情報であるCseq（103  INVITE）にて、電話1（1
0-1）からSETUPメッセージ（SQ104）をSIPプロトコルで用いるセッション接続要求となる
INVITEパケット（SQ106）に載せ換えを行い、SIPサーバ（50）に対して送信する（F39133
）。
【手続補正７】
【補正対象書類名】明細書
【補正対象項目名】００８３
【補正方法】変更
【補正の内容】
【００８３】
以上で、電話1（10-1）と電話2（14-2）がRTP（Real-time Transport Protocol）によ
るVoIP（Voice over Internet Protocol）通信を開始するまでのMG（30-1）、SIPサーバ
（50）の処理動作が完了し、電話1（10-1）と電話2（14-2）との間で音声通話（SQ118〜S
Q120）ができる。
【手続補正８】
【補正対象書類名】明細書
【補正対象項目名】００８４
【補正方法】変更
【補正の内容】
【００８４】
つづいて、電話1（10-1）と電話2（14-2）との間で音声通話（SQ118〜SQ120）を切断す
る際のMG（30）およびSIPサーバ（50）の処理動作について説明する。
【手続補正９】
【補正対象書類名】明細書
【補正対象項目名】００８８
【補正方法】変更
【補正の内容】
【００８８】
電話2（14-2）は、開放が完了すると開放完了メッセージであるREL  COMP（SQ126）が
送信されてくる。開放完了メッセージであるREL COMP（SQ126）を受信したMG（30-3）は
、図35に示すREL COMP受信処理（F3920）フローにしたがって、発信元の電話番号を抽出
し（F39201）、図8に示すセッション管理テーブル（363）を検索する（F39202）。検索し
た結果、一致しない場合は、REL COMPを廃棄（F39204）し、一致した場合は、図8に示す
セッション管理テーブル（393）からSIPメッセージの識別情報であるコマンド・シーケン
スCseqを抽出し（F39205）、BYEに対するものである場合は、抽出したSIPメッセージの識
別情報であるコマンド・シーケンスCseqにて200  OKパケット（SQ127）を送信する。BYE
に対するものでなかった場合については後述する。
【手続補正１０】
【補正対象書類名】明細書
【補正対象項目名】００８９
【補正方法】変更
【補正の内容】
【００８９】
セッション切断要求であるBYEパケット（SQ122）に対する応答メッセージである200  O
Kパケット（SQ127）を受信したSIPサーバ（50）は、図30に示す200  OK受信処理（F5613
）フローにしたがって処理を実施する。すでに説明済みのフローの説明は省略し、フロー
F561310から説明を開始する。
【手続補正１１】
【補正対象書類名】明細書
【補正対象項目名】００９０
【補正方法】変更
【補正の内容】
【００９０】
受信した200  OKパケット（SQ127）から抽出したSIPメッセージの識別情報であるコマ
ンド・シーケンスCseqがBYEに対するものであるかを確認し（F561310）、BYEに対するも
のでなければ、200  OKパケットを廃棄（F56134）する。図12（ｄ）に示す接続管理テー
ブル（563,56313）に示すように、BYEに対するものであった場合には、発信元および接続
先の電話番号、SIP通信における識別情報であるSIP URI、IP  addressおよびポート番号
にて、図12（d）に示す接続管理テーブル（ｄ）を検索（F561311）し、登録情報と一致す
るかを確認する（F561312）。一致しなければ、200  OKパケット（SQ127）を廃棄し（F56
134）、一致した場合は、発信元および接続先の登録情報を図12（e）が示すように削除す
る（F561313）。削除が完了したら、抽出したSIPメッセージの識別情報であるコマンド・
シーケンスCseq（104  BYE）にて200  OKパケット（SQ128）を送信する（F561314）。
【手続補正１２】
【補正対象書類名】明細書
【補正対象項目名】００９１
【補正方法】変更
【補正の内容】
【００９１】
切断要求パケットであるBYEパケット（SQ122）に対する応答メッセージである200  OK
パケット（SQ128）を受信したMG（30-1）は、図24に示す200  OK受信処理（F3914）フロ
ーにしたがって処理を実施する。
【手続補正１３】
【補正対象書類名】明細書
【補正対象項目名】００９２
【補正方法】変更
【補正の内容】
【００９２】
すでに説明済みの処理に関しては説明を省略し、フローF391416から説明する。MG（30-
1）は、受信した200  OKパケット（SQ128）から抽出したSIPメッセージの識別情報である
コマンド・シーケンスCseqがBYEかどうかを確認する（F391416）。BYEに対するものでな
かった場合は、200  OKパケットを廃棄（F391417）し、図8（e）が示すセッション管理テ
ーブル（393,39314）のように、切断要求メッセージであるBYEに対する200  OKであった
場合には、発信元および接続先の電話番号、SIP URI、IP address、ポート番号および接
続形態にて図8（e）に示すセッション接続管理テーブル（393）を検索する（F391418）。
検索した結果が一致するかを確認し（F391419）、一致しない場合は、200  OKパケットを
廃棄し（F391417）、一致した場合には、図8（ｆ）のセッション接続管理テーブル（393
、39315）が示すように発信元の情報およびSIPメッセージの識別情報であるコマンド・シ
ーケンスCseqを削除する（F391420）。削除が完了したら、応答メッセージであるACK（SQ
129）を送信（F391421）し、さらに、接続先に呼解放メッセージであるREL（SQ130）を送
信する。
【手続補正１４】
【補正対象書類名】明細書
【補正対象項目名】００９６
【補正方法】変更
【補正の内容】
【００９６】
次に実施例2について説明する。図17は、PC2（11-2）がISP  A（80-1）内のWEBサーバ
（110-1）とデータ通信丸文字２を行う際の通信シーケンスおよびプロトコルスタックを
示す。
図18は、PC2（11-2）がISP  A（80-1）内のWEBサーバ（110-1）とデータ通信丸文字１を
切断する際の通信シーケンスを示す。
【手続補正１５】
【補正対象書類名】明細書
【補正対象項目名】００９８
【補正方法】変更
【補正の内容】
【００９８】
まず、データ通信丸文字２を行うまでの処理について説明する。図１７に示すSQ104〜SQ106、図25に示すSETUP受信処理（F3912）、図26に示す発呼処理（F3913）の処理に関しては実施例1と同様のため説明は省略する。
【手続補正１６】
【補正対象書類名】明細書
【補正対象項目名】０１０６
【補正方法】変更
【補正の内容】
【０１０６】
上記により200  OK処理（F3915）が完了したら、図31に示す接続振り分け処理（F3917
）フローにしたがって、図8（ｄ）に示すセッション接続管理テーブル（393、39317）か
ら接続形態および接続先のIP addressを抽出し（F39171）、接続形態が登録されているか
を確認する（F39172）。接続形態がPPPoEであるかを確認し（F39173）、確認した結果が
、図8（d）に示すセッション管理テーブル（393、39317）のように、PPPoEである場合は
、MG（30-1）はPC2（11-1）に対してCONNECT（SQ322）を送信し（F39174）、送信が完了
したら、PPPoEクライアントとして動作を行い、BAS（60）との間でPPPoE接続処理（F391713）を実施する。また、BAS（60）-LNS1（70-1）間は、L2TPにより接続される。PPPoEでなかった場合については、実施例3にて説明する。
【手続補正１７】
【補正対象書類名】明細書
【補正対象項目名】０１１０
【補正方法】変更
【補正の内容】
【０１１０】
PPPoE接続処理（F391713）において、付与されるSESSION IDの情報は、図9（a）に示すデータ管理テーブル（394）にて管理される。その際、図8（c）が示すセッション管理テーブル（393、39317）の接続形態「PPPoE #3」の「#3」がデータ管理テーブルの3番目に登録されていることを示し、実施例2では、図9（a）のデータ管理テーブル（394、3946）が示すように、SESSION  IDは「55」となる。SESSION IDの登録・管理の方法は、ここに示す方法でなくても問題はない。
【手続補正１８】
【補正対象書類名】明細書
【補正対象項目名】０１１１
【補正方法】変更
【補正の内容】
【０１１１】
上記により、PC2（11-2）がISP  A（80-1）内のWEBサーバ（110-1）とデータ通信丸文
字２（SQ157〜SQ160）が可能となる。
【手続補正１９】
【補正対象書類名】明細書
【補正対象項目名】０１１２
【補正方法】変更
【補正の内容】
【０１１２】
PC2（11-2）がISP  A（80-1）内のWEBサーバ（110-1）とデータ通信丸文字２を切断す
るの処理について説明する。
【手続補正２０】
【補正対象書類名】明細書
【補正対象項目名】０１１７
【補正方法】変更
【補正の内容】
【０１１７】
以上により、データ通信丸文字２の切断が完了する。
【手続補正２１】
【補正対象書類名】明細書
【補正対象項目名】０１１８
【補正方法】変更
【補正の内容】
【０１１８】
次に実施例3について説明する。図19は、PC2（13-2）がISP  B（80-2）内のWEBサーバ
（110-2）とデータ通信丸文字３を行う際の通信シーケンスおよびプロトコルスタックを
示す。
【手続補正２２】
【補正対象書類名】明細書
【補正対象項目名】０１１９
【補正方法】変更
【補正の内容】
【０１１９】
図20は、PC2（13-2）がISP  B（80-2）内のWEBサーバ（110-2）とデータ通信丸文字３
を切断する際の通信シーケンスを示す。
【手続補正２３】
【補正対象書類名】明細書
【補正対象項目名】０１２０
【補正方法】変更
【補正の内容】
【０１２０】
以下、図19〜図20に示す通信シーケンスと、図21〜図35に示すフローチャートを参照し
て、本発明における実施例3のMG（30）、SIPサーバ（50）の各々の処理動作について説明
する。
【手続補正２４】
【補正対象書類名】明細書
【補正対象項目名】０１２１
【補正方法】変更
【補正の内容】
【０１２１】
まず、PC2（13-2）がISP  B（80-2）内のWEBサーバ（110-2）とデータ通信丸文字３を
開始するまでの処理について説明する。
【手続補正２５】
【補正対象書類名】明細書
【補正対象項目名】０１２４
【補正方法】変更
【補正の内容】
【０１２４】
接続先の電話番号にて図11（a）に示す加入者情報管理テーブル（562）を検索し、接続
形態が登録されているかを確認する（F56126）。図11（a）に示す加入者情報管理テーブ
ル（562、5627、5628）に示されるように、登録されている場合は、接続形態（5624）お
よび接続先のIP address（5623）を抽出する（F56129）。図11（a）の接続形態（5624）
が示すように、本実施例3では接続形態がL2TPを用いたでデータ通信であることが判明す
る。
【手続補正２６】
【補正対象書類名】明細書
【補正対象項目名】０１２９
【補正方法】変更
【補正の内容】
【０１２９】
上記に示したように、実施例3では、SIPサーバ（50）は、接続形態の情報を元に、発信
元に200  OKを返すか、または、接続先にINVITEを送信するかを判断する。すなわち、接
続先の情報を元に、音声通信を行うのか、データ通信を行うのかを判別し、データ通信で
ある場合は、MG（30）にSIPメッセージの200  OKを利用して知らせる仕組みとしている。
上記、動作により、MG（30）は、音声かデータかの区別が可能となり、さらに、接続形態
にあわせた動作を行うことが可能となる。本実施例では、MG（30）がLACとして動作する
こととなる。
【手続補正２７】
【補正対象書類名】明細書
【補正対象項目名】０１３６
【補正方法】変更
【補正の内容】
【０１３６】
L2TP接続処理（F39154）において、付与されるSESSION IDおよびTUNNEL IDの各情報は
、図9（a）に示すデータ管理テーブル（394）にて管理される。その際、図8（c）が示す
セッション管理テーブル（393）の接続形態「L2TP #1」の「#1」がデータ管理テーブルの
3番目に登録されていることを示し、実施例3では、図9（a）のデータ管理テーブル（394
、3947）が示すように、MG（30-1）のSESSION IDは「1」、TUNNEL IDは「1」、接続先のS
ESSION IDは「10」、TUNNEL IDは「10」となる。SESSION IDおよびTUNNEL IDの登録・管
理の方法は、本発明に示す方法でなくても問題はない。
【手続補正２８】
【補正対象書類名】明細書
【補正対象項目名】０１３８
【補正方法】変更
【補正の内容】
【０１３８】
つづいて、PC1（13-2）がISP  B（80-2）内のWEBサーバ（110-2）とデータ通信丸文字
３を切断するための処理について説明する。
【手続補正２９】
【補正対象書類名】明細書
【補正対象項目名】０１３９
【補正方法】変更
【補正の内容】
【０１３９】
まず、PPPセッション解放をするためにLCP Terminate Reqパケット（SQ419）、さらに
はPPPセッション開放の応答であるLCP Terminate Aｃｋパケット（SQ420）によりPPPセッ
ションの解放を行い、その後、L2TP切断処理（SQ430〜SQ434）により実施する。L2TPの処
理は既知の技術であるため詳細な説明は省略する。
【手続補正３０】
【補正対象書類名】明細書
【補正対象項目名】０１４０
【補正方法】変更
【補正の内容】
【０１４０】
以上、PPPセッション解放とL2TP切断処理によりL2TPのトンネルが解放され（SQ434）、
データ通信丸文字３が終了する。その際、図8（e）に示すセッション接続管理テーブル（
393,39324）に示すように、接続先の各種情報を削除する。さらに図9（b）が示すように
、MG（30-1）側のTUNNEL IDが「1」、SESSION  IDは「1」、LNS2（70-2）側のTUNNEL ID
が「10」、SESSION  IDは「10」を削除する。
【手続補正３１】
【補正対象書類名】明細書
【補正対象項目名】０１４１
【補正方法】変更
【補正の内容】
【０１４１】
つづいて、呼切断メッセージであるDISC（SQ169）を受信したMG（30-1）は、発信元の
電話番号を抽出し、図8（e）に示すセッション接続管理テーブル（393）に登録があるか
確認する。登録がない場合には、DISC（SQ204）を廃棄し、登録があった場合には、図8（
e）に示すセッション管理テーブルに、接続先の情報が登録されているか確認する。登録
されている場合は、DISC（SQ435）を削除し、登録されていない場合には、発信元に解放
を通知するREL（SQ436）を送信する。解放に対して、解放完了を示すREL COMP（SQ437）
を受信したMG（30-1）は、図35に示すREL COMP受信処理（F3920）フローにしたがって、
発信元の電話番号を抽出し（F39201）、発信元の電話番号にて図8（e）に示すセッション
接続管理テーブル（393）を検索する（F39202）。検索結果が一致しない場合は、REL  CO
MPを廃棄し（F39204）、一致した場合は、セッション管理テーブルのSIPメッセージの識
別情報であるコマンド・シーケンスCseqを抽出し（F39205）、BYEに対するものかを確認
する（F39207）。本実施例では、BYEに対するものではないので、図8(ｆ)が示すセッショ
ン接続管理テーブルのように、発信元の情報を削除する（F39208）。
【手続補正３２】
【補正対象書類名】明細書
【補正対象項目名】０１４２
【補正方法】変更
【補正の内容】
【０１４２】
以上により、呼切断まで完了し、データ通信丸文字３の切断が完了する。
【手続補正３３】
【補正対象書類名】図面
【補正対象項目名】図３
【補正方法】変更
【補正の内容】
【図３】
2010130396.tif 000001
【手続補正３４】
【補正対象書類名】図面
【補正対象項目名】図６
【補正方法】変更
【補正の内容】
【図６】
2010130396.tif 000002
【手続補正３５】
【補正対象書類名】図面
【補正対象項目名】図１６
【補正方法】変更
【補正の内容】
【図１６】
2010130396.tif 000003
【手続補正３６】
【補正対象書類名】図面
【補正対象項目名】図１７
【補正方法】変更
【補正の内容】
【図１７】
2010130396.tif 000004
【手続補正３７】
【補正対象書類名】図面
【補正対象項目名】図１８
【補正方法】変更
【補正の内容】
【図１８】
2010130396.tif 000005
【手続補正３８】
【補正対象書類名】図面
【補正対象項目名】図２５
【補正方法】変更
【補正の内容】
【図２５】
2010130396.tif 000006
【手続補正３９】
【補正対象書類名】図面
【補正対象項目名】図３１
【補正方法】変更
【補正の内容】
【図３１】
2010130396.tif 000007